(57)【要約】      （修正有）【課題】隔膜浮嚢の耐久性を改良した泡沫原液タンク構造を提供する。【解決手段】液面指示計２１を有するタンク２０の内壁の縁に、隔膜浮嚢２２が設けられ、その中央に、タンクの底部から上端までに、側壁に通孔が形成された泡沫出力吸引パイプ２３が貫設され、タンクの上側及び下側にそれぞれ、注水口と排水口が貫設されるようにして泡沫原液タンクを構成する。さらに、泡沫出力吸引パイプの外側に保護網２５を嵌設し、隔膜浮嚢が泡沫出力吸引パイプによって吸引されることを防止し、かつ、タンク底部に隔離保護網２６をが設け、隔膜浮嚢の底部の排水口の吸い込みを防止する。隔膜浮嚢は、リング状第一材質面と矩形状第二材質面２２２と円状の第三材質面２２３及び長尺形状第四材質面２２４を連接材質面により組み立てられる。【選択図】図３
0003169942.tif 000002
【実用新案登録請求の範囲】
【請求項１】
液面指示計を有するタンクの内壁の縁に、上記タンクに対応する隔膜浮嚢が設けられ、上記隔膜浮嚢の中央において、タンクの底部から上端までに、側壁に若干の通孔が形成された泡沫出力吸引パイプが貫設され、タンクの上、下側において、それぞれ、内部に連通する注水口と排水口が貫設される泡沫原液タンクであって、
泡沫出力吸引パイプの外側において、若干のメッシュを有する保護網が嵌設され、隔膜浮嚢が泡沫出力吸引パイプによって吸引されることを防止して、管路の順調な維持をするため、タンクの底部において、隔膜浮嚢との間に、若干のメッシュを有する隔離保護網が設けられ、上記隔離保護網の中央に、タンクの底部に設けてある泡沫注入口に対向して、透孔が貫設され、泡沫液がタンクに注入された後、隔膜浮嚢の底部が、内部に設けてある泡沫原液による外来の圧力により、押し当てられて底部排水口に吸い込まれることを防止でき、隔膜浮嚢が、二つのリングの第一材質面と二つの矩形状の第二材質面と二つの適当な大きさを有する円状である第三材質面及び長尺形状の第四材質面を、連接材質面により、高周波方式で結合されて組み立てられ、また、第三材質面の中央に、エア注入口が設けられ、第一材質面、第二材質面及び第三材質面により、頸部を有するフランジヘッドが形成され、一側に設けてあるフランジヘッド内において、エア注入口を有する閉鎖面ブラインドホールが形成され、隔膜浮嚢に対して、エア注入及び閉鎖性のテスト及び漏れテストを行うことに供され、また、第四材質面の長手方向の両側を対向させて結合することにより、中空リング状の収納部が形成され、収納部の上、下開口のリング状縁が、それぞれ、第三材質面のリング状縁に一体に結合され、隔膜浮嚢に、優れた構造強度軽量化及び交換容易性を付与することができ、また、隔膜浮嚢の品質を確保することにより、均一に泡沫液を出力する効果を奏する、
ことを特徴とする泡沫原液タンク構造。
【請求項２】
隔膜浮嚢の連接材質面が、融着性の重合プラスチック材質であることを特徴とする請求項１に記載の泡沫原液タンク構造。
【請求項３】
保護網の内径が、泡沫出力吸引パイプの外径よりも大きいことを特徴とする請求項１に記載の泡沫原液タンク構造。
【請求項４】
隔膜浮嚢のフランジヘッドにおいて、凸縁の上側及び下側に、それぞれ、弾性パッドを介在して固定フランジ、可動フランジを組み立ててなることを特徴とする請求項１に記載の泡沫原液タンク構造。
【考案の詳細な説明】
【技術分野】
【０００１】
本考案は、泡沫原液タンク構造に関するものであり、さらに詳しくは、その隔膜浮嚢と泡沫出力吸引パイプが、保護網と隔離保護網により隔離保護される構造を有する泡沫原液タンク構造に関するものである。
【背景技術】
【０００２】
図１及び図２は、従来の泡沫原液タンク構造を示す。同図によれば、側辺に液面指示計１１を有するタンク１０が設けられ、上記液面指示計１１は、タンク１０の内部液面を測定する。タンク１０の内壁縁において、上記タンク１０に対応する隔膜浮嚢１２が設けられる。上記隔膜浮嚢１２は、若干の、ゴム材質からなる切断面材１２１を、若干の粘着剤や粘着テープである粘着剤物Ａで連接してなり、上端及び下端にそれぞれ結合孔１２３が形成され、中空リング状の収納部１２２を有し、収納部１２２の上端及び下端に設けてある結合孔１２３が、二つの断面形状が工文字状のフランジヘッド１２４の底面に緊密に張り付いて、粘着剤１２２により粘着されて成型され、隔膜浮嚢１２の中央に、タンク１０の底部から上端までに、側壁に若干の通孔１３１が形成された泡沫出力吸引パイプ１３が設けられる。また、タンク１０の上側及び下側に、それぞれ、内部に連通する注水口１４と排水口１４１が貫設される。そして、タンク１０の底部に、泡沫原液を注入するための泡沫注入口１０１が形成される。
【０００３】
以上のよう従来構造の泡沫原液タンクによれば、下記のような問題点が残されている。
【０００４】
１、隔膜浮嚢１２は、底部で、直接に排水口１４１と接触するため、タンク１０内部に存在する水流を排水する時、水流が排水口１４１から排出する過程において、排水の圧力が、タンク１０内部に存在する空気とともに、集中して排水口１４１へ向かうため、真空吸着力が発生するか、泡沫液の重量により、隔膜浮嚢１２の底部が、吸着力による影響により、変形して排水口１４１に集中する。そのため、上記隔膜浮嚢１２は、磨耗や断裂が生じ、水流によって浸透される問題点がある。
【０００５】
２、隔膜浮嚢１２によれば泡沫原液が、直接に、泡沫出力吸引パイプ１３の各通孔１３１から、上下左右方向に、上部へタンク１０の外部に噴出し、使用中や使用後、泡沫原液により、隔膜浮嚢１２の周面が、泡沫出力吸引パイプ１３の表面に押し当てられて、通孔１３１内に吸引され、泡沫液の出力が均一ではない時や泡沫液の使用後、断裂する恐れがあるだけでなく、泡沫出力吸引パイプ１３の各通孔１３１が、塞がれて噴出できない恐れがある。
【０００６】
３、隔膜浮嚢１２は、ゴム材質からなるため、比較的に重く、また、粘着過程において、粘着剤物Ａが均一に粘着していない時、二次加工が必要になり、加工が、複雑になって、時間が掛かるだけでなく、修理することも難しくなる。
【０００７】
４、フランジヘッド１２４は、断面形状が工文字状であり、粘着作業後、その中空状の内部が、結合孔１２３と収納部１２２に連通するために、隔膜浮嚢１２の閉鎖性や漏れ位置のテストが、複雑になり、時間が掛かるだけでなく、漏れテストが簡単ではない。
【０００８】
５、従来の隔膜浮嚢１２は、粘着により成型されるため、直接に、タンク１０の固定フランジ１０２と可動フランジ１０３とが結合され、長期使用の場合、隔膜浮嚢１２のフランジヘッド１２４の凸縁が、圧迫力により、硬化して亀裂し、耐用寿命が低下する恐れがある。
【０００９】
また、実開昭６２−１１６７５５号公報（特許文献１）には泡沫消火器が記載されているが、隔膜浮嚢を有する構造のものでなく、本考案とは別異のものである。
従って、前記問題点を解消した泡沫原液タンクの開発が切望されてきた。
【特許文献１】実開昭６２−１１６７５５号公報
【考案の開示】
【考案が解決しようとする課題】
【００１０】
従って、本考案の主な目的は、泡沫出力吸引パイプの表面に、隔離保護のために、保護網が嵌設されることにより、泡沫原液を使用中や使用した後、有効に、隔膜浮嚢が泡沫出力吸引パイプの表面に設けてある通孔へ押し当てられることにより、隔膜浮嚢が断裂することを防止でき、また、管路を順調に維持することにより、確実に最も優れた消火の効果が実現される泡沫原液タンク構造を提供する。
【００１１】
本考案の他の目的は、隔膜浮嚢の底部に、隔離保護網を介在させることにより、タンク内部の空気が排水口に集中することにより、真空吸着力が発生した場合、隔膜浮嚢は、上記隔離保護網による行き止りにより、有効に、隔膜浮嚢が、下方へ吸着されて、凹むように変形することにより磨耗破壊することを防止でき、また、隔膜浮嚢の平坦性を確保して耐用寿命を向上することが可能な泡沫原液タンク構造を提供することにある。
【００１２】
本考案の更に他の目的は、隔膜浮嚢が、若干の融着性重合プラスチック材質である連接材質面を高周波で、押し合せ閉鎖することにより形成され、隔膜浮嚢において、上側頸部内に、エア注入口が設けられ、また、閉鎖面のブラインドホールが形成されるため、隔膜浮嚢に、優れた構造強度が得られ、また、全体として軽量化され、それから、便利に、隔膜浮嚢に対してエアを注入して、その閉鎖性や漏れテストを行い、また、隔膜浮嚢の品質を確保でき、均一に泡沫液を出力することができる泡沫原液タンク構造を提供することにある。
【課題を解決するための手段】
【００１３】
かくして、請求項１の考案によれば、液面指示計を有するタンクの内壁の縁に、上記タンクに対応する隔膜浮嚢が設けられ、上記隔膜浮嚢の中央において、タンクの底部から上端までに、側壁に若干の通孔が形成された泡沫出力吸引パイプが貫設され、タンクの上、下側において、それぞれ、内部に連通する注水口と排水口が貫設される泡沫原液タンクであって、
泡沫出力吸引パイプの外側において、若干のメッシュを有する保護網が嵌設され、隔膜浮嚢が泡沫出力吸引パイプによって吸引されることを防止して、管路の順調な維持をするため、タンクの底部において、隔膜浮嚢との間に、若干のメッシュを有する隔離保護網が設けられ、上記隔離保護網の中央に、タンクの底部に設けてある泡沫注入口に対向して、透孔が貫設され、泡沫液がタンクに注入された後、隔膜浮嚢の底部が、内部に設けてある泡沫原液による外来の圧力により、押し当てられて底部排水口に吸い込まれることを防止でき、隔膜浮嚢が、二つのリングの第一材質面と二つの矩形状の第二材質面と二つの適当な大きさを有する円状である第三材質面及び長尺形状の第四材質面を、連接材質面により、高周波方式で結合されて組み立てられ、また、第三材質面の中央に、エア注入口が設けられ、第一材質面、第二材質面及び第三材質面により、頸部を有するフランジヘッドが形成され、一側に設けてあるフランジヘッド内において、エア注入口を有する閉鎖面ブラインドホールが形成され、隔膜浮嚢に対して、エア注入及び閉鎖性のテスト及び漏れテストを行うことに供され、また、第四材質面の長手方向の両側を対向させて結合することにより、中空リング状の収納部が形成され、収納部の上、下開口のリング状縁が、それぞれ、第三材質面のリング状縁に一体に結合され、隔膜浮嚢に、優れた構造強度軽量化及び交換容易性を付与することができ、また、隔膜浮嚢の品質を確保することにより、均一に泡沫液を出力する効果を奏する、
ことを特徴とする泡沫原液タンク構造が提供される。
【００１４】
請求項２の考案によれば、隔膜浮嚢の連接材質面が、融着性の重合プラスチック材質であることを特徴とする請求項１に記載の泡沫原液タンク構造が提供される。
【００１５】
請求項３の考案によれば、保護網の内径が、泡沫出力吸引パイプの外径よりも大きいことを特徴とする請求項１に記載の泡沫原液タンク構造が提供される。
【００１６】
請求項４の考案によれば、隔膜浮嚢のフランジヘッドにおいて、凸縁の上側及び下側に、それぞれ、弾性パッドを介在して固定フランジ、可動フランジを組み立ててなることを特徴とする請求項１に記載の泡沫原液タンク構造が提供される。
【考案の効果】
【００１７】
本考案に係る泡沫原液タンクは、前記の如き構成からなるものであり、隔離保護網の存在により隔膜浮嚢の断裂、摩耗破壊の防止を図り、耐用寿命を向上させることができ、安定な消火効果を得ることができる。
【考案を実施するための最良の形態】
【００１８】
以下、図面を参照しながら、本考案の特徴や技術内容について、詳しく説明するが、それらの図面等は、参考や説明のためであり、本考案は、それらによって限定されるものでは無い。
【００１９】
図３と図４に示すように、本考案に係る泡沫原液タンク構造は、側辺に、液面指示計２１が設けられたタンク２０を有し、上記液面指示計２１により、タンク２０の内部の液面が測定される。タンク２０の内壁縁に、上記タンク２０に対応する隔膜浮嚢２２が設けられる。また、隔膜浮嚢２２は、若干の融着性重合プラスチック材質からなる連接材質面で互いに連結され、上記連接材質面には、二つのリングの第一材質面２２１と二つの矩形状の第二材質面２２２と二つの適当な大きさを有する円状の第三材質面２２３及び一つの長尺形状の第四材質面２２４が設けられる。上記第一材質面２２１において、中央に、リング状孔２２１１が形成され、また、周縁リングに、若干のブァイアホール２２１２が設けられる。第二材質面２２２の上、下辺が、第一材質面２２１のリング状孔２２１１の内縁辺に一致する。また、第三材質面２２３の中央に、エア注入口２２３１が設けられる。第四材質面２２４の上、下辺が、第三材質面２２３のリング状縁に一致する。そして、隔膜浮嚢２２において、中央に、タンク２０の底部から上端までに渡って、側壁に若干の通孔２３１が形成された泡沫出力吸引パイプ２３が設置される。タンク２０の上、下側に、それぞれ、内部に連通する注水口２４と排水口２４１が貫設され、また、泡沫出力吸引パイプ２３の外側に、若干のメッシュ２５１を有する保護網２５が嵌設され、上記保護網２５の内径が、泡沫出力吸引パイプ２３の外径よりも大きく、また、タンク２０の底部において、隔膜浮嚢２２との間に、若干のメッシュ２６１を有する隔離保護網２６が設けられる。上記隔離保護網２６の中央に、タンク２０の泡沫注入口２０１に対向する透孔２６２が貫設される。
【００２０】
また、隔膜浮嚢２２を組み立てる場合、まず、第二材質面２２２の兩側辺を対向させて、高周波方式で、接続箇所に中空リング状の頸部２２２ａが形成されるように接続する。頸部２２２ａの上、下に開口されたリング状縁が、それぞれ、第一材質面２２１のリング状孔２２１１辺と第三材質面２２３の上面に有するエア注入口２２３１の周面に、対向して接続させる。また、高周波方式で、頸部２２２ａを有するフランジヘッド２２１ａに押し合せて連結し、それにより、第一、第二材質面２２１、２２２と第三材質面２２３からなるフランジヘッド２２１ａの頸部２２２ａ内に設けてある閉鎖面に、図５に示すように、エア注入口２２３１を有するブラインドホール２２３ａが形成される。それにより、隔膜浮嚢２２に対して、エアを注入して、その閉鎖性や漏れのテストを行い、それから、第四材質面２２４の二つの長側辺を、対向して接続し、高周波方式で押し合せて連結し、中空リング状の収納部２２４ａが形成される。また、収納部２２４ａの上、下に開口されたリング状縁を、それぞれ、第三材質面２２３のリング状縁に対向して接続し、高周波方式により、一体的に閉鎖連結され、隔膜浮嚢２２の漏れ試験を行う時、隔膜浮嚢２２の頸部２２２ａ内に有するエア注入口２２３１を利用して、エアを隔膜浮嚢２２内に注入して、ブラインドホール２２３ａによって閉鎖され、隔膜浮嚢２２に対して、漏れテストを行うことができる。テスト後、更に、上、下側のブラインドホール２２３ａとエア注入口２２３１ともに、図６に示すように切り取り、以上のように、隔膜浮嚢２２の品質が、管理される。また、有効な作製コストの低滅やテストコストの節約が追求され、また、隔膜浮嚢２２が、熱融着性重合プラスチック材質である連接材質面であるため、効果に軽量化され、また、優れた構造強度が得られる。そのため、上記隔膜浮嚢２２の加工作製や修理交換が、より簡単かつ便利になり、従来の、重いゴムバッグによる修理困難や作製困難などの諸欠点を解消できる。そして、図７のように、隔膜浮嚢２２とタンク２０を組み立てる時、隔膜浮嚢２２のフランジヘッド２２１ａの凸縁の上、下側に、それぞれ、隔離的に、固定フランジ２０２と可動フランジ２０３を組み立てるための弾性パッド２７が設置される。隔離保護網２６の上、下側に、隔離的に、固定フランジ２０２と可動フランジ１０３を組み立てるための弾性パッド２７が設置される。隔膜浮嚢２２のフランジヘッド２２１ａの凸縁が、弾性パッド２７による隔離により、最も良い弾性が維持され、直接に、固定フランジ２０２や可動フランジ２０３により圧迫されて硬化亀裂することを防止できる。
【００２１】
本考案に係る泡沫原液タンク構造を使用する場合においては、図８に示すように、ポンプで加圧して、水を、タンク２０の注水口２４から注入し、また、水が注水口２４を経由して、上から下へ、左右や前方向に、隔膜浮嚢２２の周囲に流出する。同時に、均一にタンク２０内部の隔膜浮嚢２２を押し当て、隔膜浮嚢２２内部の泡沫原液が覆われ、隔膜浮嚢２２に、注入された水圧による圧力を受け、泡沫原液は、保護網２５のメッシュ２５１によって保護されながら、泡沫出力吸引パイプ２３上の各通孔２３１から、上下左右方向に、上方へ下方へ隔膜浮嚢２２から押し出される。また、プロポーショナルを通して水と混合されて、消火に利用される。そのため、泡沫原液は、使用中や使用後、泡沫出力吸引パイプ２３と隔膜浮嚢２２との間において、保護網２５によって間隔を有するように制御されることにより、隔膜浮嚢２２が泡沫出力吸引パイプ２３の表面に押し当てられることを有効に防止することができる。それから、通孔２３１内に押し当てられるため、隔膜浮嚢が断裂する事態を避けることができる。更に、管路を順調に維持することにより、確実に優れた消火効果が得られる。また、タンク２０の内部に、水が一杯に充填されると、排水口２４１の底部に設けられた排水バルブ２４２により、水がタンク２０の内部から排出される時、隔膜浮嚢２２とタンク２０との間に、隔離保護網２６が介在するため、水流が排水口２４１へ流れて排出される過程において、タンク２０の内部に存在する空気が、排水口２４１に集中することにより真空吸着力が発生する。隔膜浮嚢２２は、隔離保護網２６の行き止めにより、有効に、隔膜浮嚢２２が下方へ吸着されて凹むように変形して、磨耗破壊される事態を防止でき、従って、隔膜浮嚢２２の平坦性を確保でき、耐用寿命を向上させることができる。
【００２２】
以上は、本考案のより良い一実施態様であり、本考案は、それらによって限定されるものでは無く、本考案に係わる実用新案登録請求の範囲や明細書の内容に基づいて行った等価の変更や修正は、全てが、本考案の範囲内に含まれることは明らかである。
【図面の簡単な説明】
【００２３】
【図１】従来の泡沫原液タンク構造の分解斜視図である。
【図２】従来の泡沫原液タンク構造の部分断面図である。
【図３】本考案の一実施形態による泡沫原液タンクの分解図である。
【図４】本考案の一実施形態による泡沫原液タンクの隔膜浮嚢の分解斜視図である。
【図５】本考案の一実施形態による泡沫原液タンクのフランジヘッドの拡大斜視図である。
【図６】本考案の一実施形態による泡沫原液タンクのフランジヘッドのブラインドホールとエア注入口を切り取った状態の概念図である。
【図７】本考案の一実施形態による泡沫原液タンクの組立て断面図である。
【図８】本考案の一実施形態による泡沫原液タンクの使用状態概念図である。
【符号の説明】
【００２４】
２０  タンク
２０１  泡沫注入口
２０２  固定フランジ
２０３  可動フランジ
２１  液面指示計
２２  隔膜浮嚢
２２１  第一材質面
２２１ａ  フランジヘッド
２２１１  リング状穴
２２１２  ブァイアホール
２２２  第二材質面
２２２ａ  頸部
２２３  第三材質面
２２３ａ  ブラインドホール
２２３１  エア注入口
２２４  第四材質面
２２４ａ  収納部
２３  泡沫出力吸引パイプ
２３１  通孔
２４  注水口
２４１  排水口
２４２  排水バルブ
２５  保護網
２５１  メッシュ
２６  隔離保護網
２６１  メッシュ
２６２  透孔
２７  弾性パッド
【図１】
0003169942.tif 000003
【図２】
0003169942.tif 000004
【図３】
0003169942.tif 000005
【図４】
0003169942.tif 000006
【図５】
0003169942.tif 000007
【図６】
0003169942.tif 000008
【図７】
0003169942.tif 000009
【図８】
0003169942.tif 000010